(57)【要約】【課題】アルコールガス検知器において、アルコールガスセンサが老朽化したり、故障した際には、システム全体を交換するか、或いは、システムを分解して、修理等を行う必要がある。【解決手段】アルコールガスセンサ部と、アルコールガスセンサ部の制御及び監視を行う本体部とを備えるアルコール検知器であって、本体部は、アルコールガスセンサ部から出力される電気データを本体部に取り込むため、及び、本体部からアルコールガスセンサ部を制御するための信号をアルコールガスセンサ部に送るための、アルコールガスセンサ部とのインターフェースを行うための端子群を含むインターフェース部を更に備え、アルコールガスセンサ部が、インターフェース部と着脱可能となっている、アルコール検知器。【選択図】図１Ｅ
2012167952.tif 000002
【特許請求の範囲】
【請求項１】
アルコールガスセンサ部と、
前記アルコールガスセンサ部の制御及び監視を行う本体部と、
を備えるアルコール検知器であって、
前記本体部は、前記アルコールガスセンサ部から出力される電気データを前記本体部に取り込むため、及び、前記本体部から前記アルコールガスセンサ部を制御するための信号を前記アルコールガスセンサ部に送るための、前記アルコールガスセンサ部とのインターフェースを行うための端子群を含むインターフェース部を更に備え、
前記アルコールガスセンサ部が、前記インターフェース部と着脱可能となっている、
アルコール検知器。
【請求項２】
アルコールガスセンサ部を有するアルコール検知器であって、
前記アルコールガスセンサ部が、被験者の呼気を、被験者が銜える、複数の口径を有する細い円筒状のパイプを介して、前記アルコールガスセンサ部に、漏れなく誘くための、呼気導入用パイプ嵌合メカニズムを備える、
アルコール検知器。
【請求項３】
アルコールガスセンサ部を有するアルコール検知器であって、
前記アルコールガスセンサ部によって検出されたアルコールガスの濃度レベルに応じて、異なった音声表示を発する、音声表示部を備える、
アルコール検知器
【請求項４】
被験者の呼気の入力が不首尾に終わった場合に、再度の呼気の入力を促す、エラー音表示を行う、エラー音発声手段を更に備える、請求項３に記載のアルコール検知器。
【発明の詳細な説明】
【技術分野】
【０００１】
本願の実施例に係る発明は、例えば、アルコール検知器に関する。
【背景技術】
【０００２】
特許文献１には、アルコールガスセンサーを用い、呼気アルコール濃度を検知するセンサーユニットを持ち測定結果をデジタル表示にて被験者（測定者）のアルコール濃度を表示する仕組みと、その被験者のデータを市販のパソコン等にデータ転送出来る仕組みと、被験者ＩＤコード（社員ｎｏ．等）、測定時刻、温度、湿度、測定回数累計、測定結果濃度等を印字（送信）する手段を備えたことを特徴とするアルコール検知システムが開示されている。
【特許文献１】特開２００４−２１２２１７号公報
【発明の概要】
【発明が解決しようとする課題】
【０００３】
特許文献１のシステムでは、アルコールガスセンサが老朽化したり、故障した際には、システム全体を交換するか、或いは、システムを分解して、修理等を行う必要がある。
更に、被験者とガスセンサの間に風が吹いたりした場合、正確な測定が困難である。
【０００４】
また、測定結果を音声によって容易に把握することが困難であり、被験者が事業所に試験中であることを連絡中の際、事業所側に測定の様子を伝えることも困難である。
【課題を解決するための手段】
【０００５】
本発明は、以上のような課題を解決するために、以下のような発明を提供する。
なお、本願出願時の明細書の記載を基礎として、特許請求の範囲の記載が補正され得ることは勿論であるが、その際に、以下の各「発明」の内容を訂正することは予定しない（以下の各「発明」は、本願明細書における開示の要点としての意味を持つ）。
【０００６】
[発明１]
アルコールガスセンサ部と、
前記アルコールガスセンサ部の制御及び監視を行う本体部と、
を備えるアルコール検知器であって、
前記本体部は、前記アルコールガスセンサ部から出力される電気データを前記本体部に取り込むため、及び、前記本体部から前記アルコールガスセンサ部を制御するための信号を前記アルコールガスセンサ部に送るための、前記アルコールガスセンサ部とのインターフェースを行うための端子群を含むインターフェース部を更に備え、
前記アルコールガスセンサ部が、前記インターフェース部と着脱可能となっている、
アルコール検知器。
【０００７】
このように構成することにより、アルコールガスセンサが老朽化したり、故障した際には、システム全体を交換するか、或いは、システムを分解して、修理等を行う必要が無く、センサユニットのみを交換すれば良い。
【０００８】
[発明２]
アルコールガスセンサ部を有するアルコール検知器であって、
前記アルコールガスセンサ部が、被験者の呼気を、被験者が銜える、複数の口径を有する細い円筒状のパイプを介して、前記アルコールガスセンサ部に、漏れなく誘くための、呼気導入用パイプ嵌合メカニズムを備える、
アルコール検知器。
【０００９】
このように構成することにより、被験者とガスセンサの間に風が吹いたりした場合でも、正確な測定が可能である。
[発明３]
アルコールガスセンサ部を有するアルコール検知器であって、
前記アルコールガスセンサ部によって検出されたアルコールガスの濃度レベルに応じて、異なった音声表示を発する、音声表示部を備える、
アルコール検知器
このように構成することにより、測定結果を音声によって容易に把握することが容易であり、被験者が事業所に試験中であることを連絡中の際、事業所側に測定の様子を伝えることも容易である。
【００１０】
[発明４]
被験者の呼気の入力が不首尾に終わった場合に、再度の呼気の入力を促す、エラー音表示を行う、エラー音発声手段を更に備える、発明３に記載のアルコール検知器。
【００１１】
このように構成することにより、エラーが発生したことを容易に認識可能である。
【発明の効果】
【００１２】
本発明の実施形態の１実施例によれば、アルコールガスセンサが老朽化したり、故障した際にも、センサ部分のユニットのみを交換することによって、容易に対応が可能である。
【００１３】
本発明の実施形態の他の実施例によれば、被験者とガスセンサの間に風が吹いたりした場合にも、正確な測定が可能である。
本発明の実施形態の更に他の実施例によれば、測定結果を音声によって容易に把握することが容易であり、被験者が事業所に試験中であることを連絡中の際、事業所側に測定の様子を伝えることも容易である。
【図面の簡単な説明】
【００１４】
【図１Ａ】アルコール検知器1A01の概観を表側からの正面図及び裏側からの正面図で表したものである。
【図１Ｂ】アルコール検知器1A01への呼気の吹きかけ態様の１つを示すものである。
【図１Ｃ】アルコール検知器1A01への呼気の吹きかけ態様の他の１つ（ストローを用いた吹きかけ）を示すものである。
【図１Ｄ】図１Ｃの態様におけるストローの太さが異なっても呼気が漏れることなくアルコール検知器1A01に呼気が入力される様子を示す。
【図１Ｅ】アルコール検知器1A01においてアルコールガスセンサ部分のみを交換する際の態様を示す。
【図１Ｆ】アルコール検知器1A01において呼気を入力した際のブザー音又は音声表示の発生を示す。
【図２】図１のアルコール検知器1A01の電気的構成をブロック図で表現したものである。
【図３】図１のアルコール検知器1A01をパソコンと接続したシステム構成を示す。
【符号の説明】
【００１５】
１Ａ０１  アルコール検知器
１Ａ０３  センサー部
１Ａ０５  吹き抜け口
２００  アルコール検知器
２０１  センサユニット
２０３  データ処理ユニット
２０７  ＵＳＢ接続端子
【発明を実施するための形態】
【００１６】
以下、本発明の各種の実施例を図を参照しつつ説明する。但し、以下の説明は、あくまでも本発明の例示であり、以下の記載によって、本発明の技術的範囲が限定されるものではない。
【００１７】
また、本発明の装置、端末、システムは、如何なる既知の、或いは、今後開発される、同様な機能を有するものに対しても適することを理解して欲しい。
＜システム構成＞
本願発明に係るアルコール検知器、及び、当該装置を用いたシステムについて、その実施例を説明する。
【００１８】
図１Ａは、アルコール検知器1A01の概観を表側からの正面図、及び、裏側からの背面図で表したものである。
左側の表側からの正面図には、センサー部1A03、及び、表示パネル1A07が示されている。
【００１９】
被験者は、表示パネル1A07の視覚的な指示に従い、又は、スピーカ（不図示）からの音声による指示に従い、呼気をセンサー部1A03に吹き込む等の動作を行う。
図１Ｂは、アルコール検知器1A01の概観を側面図で表したものである。
【００２０】
表側のセンサー部1A03から吹き込まれた呼気は、裏面の吹き抜け口1A05を通って、外部に通過する。
表側のセンサー部1A03と、裏面の吹き抜け口1A05の間には、呼気ガスセンサ（後述）が配置され、呼気中のアルコールを検出する。
【００２１】
図１Ｃは、アルコール検知器1A01への呼気の吹きかけ態様の他の１つ（ストローを用いた吹きかけ）を示すものである。このようにストローを用いて呼気を入力することによって、被験者とガスセンサの間に風が吹いたりした場合にも、正確な測定が可能である。
【００２２】
図１Ｄは、図１Ｃの態様におけるストローの太さが異なっても呼気が漏れることなくアルコール検知器1A01に呼気が入力される様子を示す。アルコール検知器1A01の、ストローによる呼気入力部を、このように異なったストローの口径に対してもフィットするような形状とすることによって、呼気の漏れを防止することが可能である。
【００２３】
なお、通常、市場に流通しているストローのサイズ（口径）は主に２種類であり、アルコール検知器1A01のストローによる呼気入力部は、この２種類の口径に対応する構成にすればほぼ十分である。
【００２４】
図１Ｅは、アルコール検知器1A01においてアルコールガスセンサ部分のみを交換する際の態様を示す。
このように、アルコールガスセンサ部分のみを交換可能とすることによって、アルコールガスセンサが老朽化したり、故障した際にも、システム全体の交換や、システムを分解して、修理等を行う必要が無くなる。
【００２５】
図１Ｆは、アルコール検知器1A01において呼気を入力した際のブザー音又は音声表示の発生を示す。
このように、呼気を入力した際のブザー音又は音声表示により、被験者の呼気中のアルコール濃度がどのようなレベルのものかが、容易に理解できるし、エラーが発生した場合にも、再度の測定を促すことが容易である。
【００２６】
例えば、法定の基準から、
ａ  アルコール不検知
ｂ  アルコール濃度が非常に高く、運転を禁止
ｃ  ２時間の休息後に運転可能
等の音声による表示（ａ，ｂ，ｃそれぞれ異なるブザー音、又は、日本語による音声表示）が可能である。より簡便に、アルコール検知、又は、アルコール不検知の２種類の表示を用いてもよい。
【００２７】
なお、被験者が、所属する企業の本部と電話で連絡しながら、出先の場所で呼気の測定を行う場合がある。これは、本部で、被験者の呼気測定時刻、場所、測定が首尾良く行われたか、等をチェックする必要があるためである。
【００２８】
このような場合、被験者が片手で電話を掛けながら、他方の手で呼気をアルコール検知器1A01に入力し、上述のようにａないしｃ等の音声表示が為されれば、本部の対話者にも、測定が首尾良く行われたかを、電話によって伝えることが容易になる。
【００２９】
図２は、図１のアルコール検知器1A01の電気的構成をブロック図で表現したものである。
アルコール検知器200は、大きく分けて、センサユニット201、データ処理ユニット203、及び電源部205で構成されている。
【００３０】
電源部205は、センサユニット201、及び、データ処理ユニット203に電源を供給する。
センサユニット201は、図１Ｂ又は図１Ｃの呼気1B01中のアルコール濃度を検出するためのものである。
【００３１】
データ処理ユニット203は、被験者に必要な指示を与えたり、センサユニット201で検出された呼気1B01中のアルコール濃度を処理し、外部に伝送したりする機能を有する。
センサユニット201は、呼気ガスセンサ2011、センサ計測制御用ＣＰＵ2013、及び、メモリ2015に、更に細分化される。
【００３２】
データ処理ユニット203は、更に以下の各要素に細分化される。
(a)データ処理通信制御用ＣＰＵ2031---上述の各機能を制御する。
(b)スピーカ2043---被験者に対する音声による指示等を発する。
(c)ＬＣＤ表示部2037---被験者に対する視覚的指示を与えたり、測定されたアルコール濃度を表示したりする。
(d)ＵＳＢ通信制御部2039---ＵＳＢによって接続された外部機器とのデータのやり取りを制御する。
(e)カレンダー時計管理部2035---アルコール濃度測定を行った日時等を出力する。測定されたデータと関連付けて外部に伝送され得る。
【００３３】
次に、以上説明したアルコール検知器（1A01、200）を用いて、測定データ等を利用・管理するシステムを説明する。
なお、図３では、図２のブロック図中、それらの図面における使用態様において、特に注目すべき機能を実現するための構成要素のみを表示しているが、図２に記載された他の構成要素を排除するものではない。
【００３４】
図３は、図１のアルコール検知器1A01をパソコン（ＰＣ）（303）と接続したシステム構成を示す。
センサ部3025で検出されたアルコール濃度データは、センサ計測制御ＣＰＵ3013で処理され、ＵＳＢ通信制御部3017により、ＵＳＢケーブル307を介して、パソコン303に伝送される。
【００３５】
パソコン303に伝送されたデータ等は、プリンタ305において印刷可能である。
プリンタ305での印刷結果の一例としては、例えば表形式の出力が可能である。
当該表の項目の一例としては、例えば、縦軸に被験者の氏名、社員ＩＤ、呼気測定日時場所が列挙され、横軸に、アルコール検知器の使用の有無、アルコール検知の有無、アルコール濃度値、（被験者が申告した）疲労等の状況、被験者が担当する業務の事前点検状況、被験者の雇用機関から被験者への指示事項、等を列挙することが可能である。更に、被験者の業務開始前、業務遂行中、業務終了後の、異なった時点で、上述の各項目を設けることも可能である。
【００３６】
このような帳票を出力することによって、雇用者が、被験者の呼気中のアルコール濃度を含めた、体調管理を行うことが容易となる、
本明細書は、多数の特定の実施例を含むが、これらは、特許請求される又は特許請求されることができる範囲に対する制限として解釈されるべきではなく、特定の実施形態に特有の特徴の説明として解釈されるべきである。
【００３７】
別個の実施形態の内容において、本明細書に説明される特定の特徴は、さらに、単一の実施形態において組み合わせて実施することができる。
【産業上の利用可能性】
【００３８】
本発明の実施例は、例えば、アルコール成分検出・表示システムに利用可能である。
【図１Ａ】
2012167952.tif 000003
【図１Ｂ】
2012167952.tif 000004
【図１Ｃ】
2012167952.tif 000005
【図１Ｄ】
2012167952.tif 000006
【図１Ｅ】
2012167952.tif 000007
【図１Ｆ】
2012167952.tif 000008
【図２】
2012167952.tif 000009
【図３】
2012167952.tif 000010